(57)【要約】      （修正有）【課題】印刷された販促用マークの部分のみをラベルから指で容易に切り取ることができるように改良された熱収縮性筒状ラベルを提供する。【解決手段】容器の側面に装着される、ベルマーク（登録商標）５の付いた熱収縮性筒状ラベル１であって、ベルマーク５が裏面に印刷された筒状の熱収縮性基材フィルム６を備える。筒状の熱収縮性基材フィルム６には、ベルマーク５を両側から挟むように、筒の高さ方向に上端から下端まで延びる２本のミシン目７，８が形成されている。【選択図】図１
0003209393.tif 000002
【実用新案登録請求の範囲】
【請求項１】
容器の側面に装着される熱収縮性筒状ラベルであって、
販促用マークが裏面に印刷された筒状の熱収縮性基材フィルムを備え、
前記筒状の熱収縮性基材フィルムには、前記販促用マークを両側から挟むように、筒の高さ方向に上端から下端まで延びる２本のミシン目が形成されている、熱収縮性筒状ラベル。
【請求項２】
前記筒状の熱収縮性基材フィルムには、前記販促用マークを上下から挟むように、筒の幅方向に延びる、さらに２本のミシン目が設けられている、請求項１に記載の熱収縮性筒状ラベル。
【請求項３】
前記販促用マークは、ベルマーク又は応募点数マークを含む、請求項１又は２に記載の熱収縮性筒状ラベル。
【考案の詳細な説明】
【技術分野】
【０００１】
本考案は一般に熱収縮性筒状ラベルに関するものであり、より特定的には、印刷されたベルマーク（登録商標）又は応募点数マークなどの販促用マークをラベルから指で容易に切り取ることができるように改良された熱収縮性筒状ラベルに関する。
【背景技術】
【０００２】
従来から使用されている飲料等を充填するペットボトルには、図６（Ａ）に示すように印刷ラベルである熱収縮性筒状ラベル１が装着されている。熱収縮性筒状ラベル１は、熱収縮性基材フィルムが筒状にされて中央でセンターシールされてなる。シール部分２をハッチングで示す。このようなペットボトル３は用済み後回収されるが、そのためには、熱収縮性筒状ラベル（以下単に「ラベル」と略する）１を剥離し分離する必要がある。その剥離・分離を容易に行うために、一般にこれらのラベル１には、その上端から下端に到る全長に渡ってミシン目４が設けられている。
【０００３】
ところで、ベルマーク運動（商品のパッケージについたベルマークを切り取って集めＰＴＡ（学校）などを通じてベルマーク教育助成財団に送付すると教育関連の設備品を購入することができるとする）に協賛する企業が多い。そのような企業では、図６（Ｂ）に示すように、ベルマーク５を印刷したラベル１をペットボトル３などの容器に装着して、商品を市場に提供する。
【０００４】
なお、ベルマークを付けると、「ベルマーク手帳」「ベルマーク一覧表」「ベルマーク新聞」などで、直接、商品ＰＲの場にもなり、販促効果が得られる。また市場調査のツールとして、回収された自社のベルマークの量や地域を分析することにより、販売促進にも役立てられる。
【０００５】
さて、商品の消費者は、ベルマークを集めるために、外出先で、用済みとなったペットボトル３からラベル１をミシン目４に沿って切り取り分離する。分離されたラベル１は、図６（Ｃ）に示すように展開した状態であり、家に持ち帰った後、ハサミで、ベルマーク５の部分を切り抜き、集めている。
【考案の概要】
【考案が解決しようとする課題】
【０００６】
しかしながら、分離したラベル１を、図６（Ｃ）に示すように展開した状態で、家に持ち帰り、ハサミで、ベルマーク５の部分を切り抜くのは、手間が掛かり、面倒であるという問題点があった。また、図６（Ｃ）に示すような展開した状態で持ち帰ること自体、かさばるため、面倒であった。このような問題点は、ベルマーク５に限らず、応募点数マークを付けたラベルを装着した商品の場合にも生じていた。
【０００７】
本考案は、このような問題を解決するためになされたもので、印刷されたベルマーク又は応募点数マークなどの販促用マークの部分のみをラベルから指で容易に切り取ることができるように改良された熱収縮性筒状ラベルを提供することにある。
【０００８】
この考案の他の目的は、ラベルから切り取ったマークを小型にして、外出先から容易に持ち帰ることができるように改良された熱収縮性筒状ラベルを提供することにある。
【課題を解決するための手段】
【０００９】
本考案は、容器の側面に装着される、販促用マークの付いた熱収縮性筒状ラベルであって、上記販促用マークが裏面に印刷された筒状の熱収縮性基材フィルムを備える。上記筒状の熱収縮性基材フィルムには、上記販促用マークを両側から挟むように、筒の高さ方向に上端から下端まで延びる２本のミシン目（第１のミシン目）が形成されている。
【００１０】
筒の高さ方向に上端から下端まで延びる上記２本のミシン目を切ることによって、販促用マークの付いた部分のみを、短冊状に分離することが出来る。短冊状に小さくすることで外出先からの持ち帰りに便利な形となる。
【００１１】
本明細書で、販促用マークとは、売り手が、買い手の購買心を刺激し、商品を購入させるために行う組織的な活動のために商品に付されるマークをいい、ベルマーク、応募点数マークを含む。
【００１２】
この考案の好ましい実施態様によれば、上記筒状の熱収縮性基材フィルムには、上記販促用マークを上下から挟むように、筒の幅方向に延びる、さらに２本のミシン目（第２のミシン目）が設けられている。
【００１３】
第１のミシン目を切り、さらに第２のミシン目も切ると、上記販促用マークをより小型に（切手状に）切り取ることができ、さらに持ち帰り便利となる。
【００１４】
上記一対の第１および第２のミシン目は、針孔加工又はレーザ加工によって形成されるのが好ましい。
【００１５】
上記熱収縮性基材フィルムには、紫外線吸収剤、アンチブロッキング剤、滑剤、静電気防止剤、抗菌剤、安定剤等、各種公知の添加剤や異なる樹脂等を合目的的に添加してもよい。
【００１６】
上記熱収縮性基材フィルムは、例えばポリエステル系熱収縮性フィルムもしくはポリエステル系樹脂とポリスチレン系樹脂から形成される多層熱収縮性フィルムで形成されるのが好ましいが、特に限定されるものではない。センターシール溶剤は、１，３ジオキソランまたはテトラヒドロフランが好ましい。
【００１７】
ポリエステル系熱収縮性フィルムとしては、具体的には、東洋紡績株式会社製スペースクリーンＳ７０４２、ポリエステル系樹脂とポリスチレン系樹脂から形成される多層熱収縮性フィルムとしては、具体的には、グンゼ株式会社製ファンシーラップＨＧＴタイプを例示できる。
【考案の効果】
【００１８】
本考案によれば、販促用マークを間に挟むように、筒の高さ方向に形成された２本のミシン目を切ることによって、販促用マークの付いた部分のみを分離することが出来るので、持ち帰り易い形となる。
【図面の簡単な説明】
【００１９】
【図１】本考案の実施例１に係る熱収縮性筒状ラベルの斜視図である。
【図２】（Ａ）は実施例１にかかる熱収縮性筒状ラベルを容器に装着して熱収縮させた状態を示す図、（Ｂ）ミシン目に沿って切り取る様子を示す図、（Ｃ）は切り取られたベルマークの部分を示す図である。
【図３】実施例１に係る熱収縮性筒状ラベルの製造方法を説明する図である。
【図４】（Ａ）は実施例２にかかる熱収縮性筒状ラベルの斜視図であり、（Ｂ）は容器に装着して熱収縮させた状態を示す図、（Ｃ）はミシン目に沿って切り取る様子を示す図、（Ｄ）は切り取られたベルマークの部分を示す図である。
【図５】実施例３に係る熱収縮性筒状ラベルの斜視図である。
【図６】（Ａ）は従来の熱収縮性筒状ラベルを装着した容器の概念図であり、（Ｂ）は、従来の熱収縮性筒状ラベルにベルマークを付けた場合の問題点を説明するための図であり、（Ｃ）は、容器から切り離したラベルの斜視図である。
【考案を実施するための最良の形態】
【００２０】
印刷された販促用マークの部分のみをラベルから指で容易に切り取ることができるように改良された熱収縮性筒状ラベルを得るという目的を、筒状の熱収縮性基材フィルムに、上記販促用マークを両側から挟むように、筒の高さ方向に上端から下端まで延びる２本のミシン目が形成することによって実現した。以下、本考案の実施例を、添付図面を参照して説明する。なお、各図中、同一部分には同一の参照番号を付し、その説明を繰り返さない。
【実施例１】
【００２１】
図１を参照して、プラスチック容器の側面に装着される実施例１に係る熱収縮性筒状ラベル１は、一方の端部６ａと他方の端部６ｂを有する熱収縮性基材フィルム６を備える。熱収縮性基材フィルム６の裏面には、販促用マークであるベルマーク５が印刷されている。熱収縮性基材フィルム６は、例えばポリエステル系熱収縮性フィルムもしくはポリエステル系樹脂とポリスチレン系樹脂から形成される多層熱収縮性フィルムで形成される。一方の端部６ａと他方の端部６ｂは、熱収縮性基材フィルム６が筒を形成するように、重ね合わされてセンターシールされている。ベルマーク５を間に挟んで両側に、ラベル１の上端から下端まで延びる２本のミシン目７，８が形成されている。
【００２２】
このような熱収縮性筒状ラベル１は、図２（Ａ）に示すように、容器であるペットボトル３に装着し、熱収縮させてペットボトル３に装着される。熱収縮は、熱収縮性筒状ラベル１をペットボトル３の胴部に装着し、装着した容器をシュリンクトンネルに通して、収縮させることにより行われる。容器への内容物の充填は、容器に熱収縮性ラベルを装着する前に行っても良いし、シュリンクトンネルを通して収縮させた後に行っても良い。
【００２３】
次に動作について説明する。図２（Ｂ）に示すように、本考案に係る熱収縮性筒状ラベル１によれば、ミシン目７，８に挟まれた部分に指でつまみ、ミシン目７，８を切ると、ベルマーク５の部分を、図２（Ｃ）に示すように短冊状に切り取ることができる。短冊状に切り出されたベルマーク５は、小型で、持ち帰り易くなる。
【００２４】
次に、上述のような熱収縮性筒状ラベルの製造方法について、図３を参照しながら説明する。
【００２５】
図３（Ａ）を参照して、裏面にベルマーク５が印刷され、ベルマーク５を挟むようにミシン目７，８が形成された長尺の熱収縮性基材フィルム６をロールから引き出す。図３（Ｂ）を参照して、熱収縮性フィルム基材６を矢印ａの方向に流しながら、塗布ノズル９によりセンターシール溶剤を熱収縮性基材フィルム６の一方の端部６ａと他方の端部６ｂとの間に塗布する。ニップローラ１０，１０が、熱収縮性基材フィルム６が筒を形成するように、一方の端部６ａと他方の端部６ｂとを重ね合わさせてセンターシールする。このようにして、ベルマーク５の両側にミシン目７，８の付いた長尺の筒状フィルムが得られる。図３（Ｃ）を参照して、断裁用刃で切断し、熱収縮性筒状ラベル１の個片が得られる。
【実施例２】
【００２６】
実施例２に係る熱収縮性筒状ラベルは、実施例１に係る熱収縮性筒状ラベルの変形例で、図４（Ａ）に示すように、筒状の熱収縮性基材フィルム６に、縦に形成された２本のミシン目７，８に加えて、さらに筒の幅方向（横方向）に延び、かつベルマーク５を上下から挟むように形成された２本のミシン目１１，１２（第２のミシン目）が設けられている。
【００２７】
図４（Ｂ）はラベル１をペットボトル３に装着した状態を示す。図４（Ｃ）に示すように、指で第１のミシン目７，８を切って、さらに第２のミシン目１１，１２も切る。すると、図４（Ｄ）に示すように、ベルマーク５を切手状に切り取ることができる。切り取られたベルマーク５は、実施例１に比べて、より小型になり、持ち運び易く、ハサミでカットする手間が全く掛からない。
【実施例３】
【００２８】
上記実施例では、販促用マークとしてベルマークを例示したが、図５に示すような応募点数マーク１３であっても、同様の効果を奏する。
【００２９】
上記実施例では販促用マークとして、ベルマーク、応募点数マークを例示したがこの考案はこれに限られるものでなく、応募マークのように切り取らせて、専用応募ハガキまたは郵便ハガキに応募させるような態様のものであってもよい。販促効果を得るために付されるマークは、全て本考案に含まれる。
【００３０】
今回開示された実施例はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【００３１】
本考案によれば、持ち帰り易く、かつベルマーク又は応募点数マークをハサミでカットする手間の掛からない熱収縮性筒状ラベルが得られる。
【符号の説明】
【００３２】
１     熱収縮性筒状ラベル
２     シール部分
３     ペットボトル
４，７，８，１１，１２      ミシン目
５     ベルマーク
６     熱収縮性基材フィルム
６ａ   一方の端部
６ｂ   他方の端部
９     塗布ノズル
１０，１０    ニップローラ
１３   応募点数マーク
【図１】
0003209393.tif 000003
【図２】
0003209393.tif 000004
【図３】
0003209393.tif 000005
【図４】
0003209393.tif 000006
【図５】
0003209393.tif 000007
【図６】
0003209393.tif 000008
【手続補正書】
【提出日】平成29年1月11日(2017.1.11)
【手続補正１】
【補正対象書類名】実用新案登録請求の範囲
【補正対象項目名】全文
【補正方法】変更
【補正の内容】
【実用新案登録請求の範囲】
【請求項１】
容器の側面に装着される熱収縮性筒状ラベルであって、
販促用マークが裏面に印刷された筒状の熱収縮性基材フィルムを備え、
前記筒状の熱収縮性基材フィルムには、前記販促用マークを両側から挟むように、筒の高さ方向に上端から下端まで延びる２本のミシン目が形成されている、熱収縮性筒状ラベル。
【請求項２】
前記筒状の熱収縮性基材フィルムには、前記販促用マークを上下から挟むように、筒の幅方向に延びる、さらに２本のミシン目が設けられている、請求項１に記載の熱収縮性筒状ラベル。
【請求項３】
前記販促用マークは、切り取って集めて送付すると教育関連の設備品を購入することができるとするマーク又は応募点数マークを含む、請求項１又は２に記載の熱収縮性筒状ラベル。